(57)【要約】【課題】  感光材フィルムの種類が変更されたとき、簡素な構成で、その種類を判別して各種補正係数が自動的に変更可能となる画像形成装置を得る。【解決手段】  感光材フィルム１３の種類に応じたデータを用いて記録対象画像の感光材フィルム１３ヘの記録が行われる画像形成装置１００において、感光材フィルム１３の種類に応じたデータが格納された記憶手設と、感光材フィルム１３に記録される試験用濃度パターンの濃度を計測する濃度計測手段２９と、感光材フィルム１３に試験用濃度パターンを記録させると共に濃度計測手段２９によって計測された試験用濃度パターンの濃度の計測値から感光材フィルム１３の種類を判別し種類に応じたデータを記億手段から読み出して記録対象画像の感光材フィルム１３ヘの記録を行わせる制御手段Ｅとを設けた。【選択図】図１
2006309065.tif 000002
【特許請求の範囲】
【請求項１】
感光材フィルムの種類に応じたデータを用いて記録対象画像の前記感光材フィルムヘの記録が行われる画像形成装置において、
前記感光材フィルムの種類に応じたデータが格納された記憶手設と、
前記感光材フィルムに記録される試験用濃度パターンの濃度を計測する濃度計測手段と、
前記感光材フィルムに前記試験用濃度パターンを記録させると共に前記濃度計測手段によって計測された該試験用濃度パターンの濃度の計測値から前記感光材フィルムの種類を判別し該種類に応じたデータを前記記億手段から読み出して前記記録対象画像の前記感光材フィルムヘの記録を行わせる制御手段とを備えることを特徴とする画像形成装置。
【請求項２】
前記データが、
前記濃度計測手段の校正係数データ、
前記記録対象画像を鮮鋭度補正するときに使用する鮮鋭度補正係数データ、
前記記録対象画像のユニフォーミティ補正を行うときに使用するユニフォーミティ補正係数データ、
前記記録対象画像の濃度補正を行うときに使用する濃度補正データ、
前記記録対象画像が潜像として記録された前記感光材フィルムを熱現像するときの加熱データのうちの少なくとも１つであることを特徴とする請求項１記載の画像形成装置。
【請求項３】
前記制御手段が、
前記濃度計測手段によって前記試験用濃度パターンから計測した最高濃度、最低濃度、特定濃度の必要エネルギ、第１特定濃度と第２特定濃度とのエネルギ差のうちの少なくとも１つの計測値から前記感光材フィルムの種類を判別することを特徴とする請求項１又は請求項２記載の画像形成装置。
【発明の詳細な説明】
【技術分野】
【０００１】
本発明は、レーザビーム等の光ビームによって感光材フィルムに画像を記録する画像形成装置に関し、さらに詳しくは、使用する感光材フィルムの種類が変更されたときこの種類を判別可能とする改良技術に関する。
【背景技術】
【０００２】
近年、ＣＴ（Ｃｏｍｐｕｔｅｄ  Ｔｏｍｏｇｒａｐｈｙ）装置、ＣＲ（Ｃｏｍｐｕｔｅｄ  Ｒａｄｉｏｇｒａｐｈｙ）装置、ＭＲＩ（Ｍａｇｎｅｔｉｃ  Ｒｅｓｏｎａｎｃｅ  Ｉｍａｇｉｎｇ）装置等のコンピュータ支援診断装置が医療分野において広汎に利用されている。例えば、Ｘ線画像やＣＴ画像等の医療用画像を記録する画像形成装置には、レーザダイオードや半導体レーザ装置等の光ビーム照射装置が搭載され、感光材フィルムを光ビームによって走査することで画像に応じた潜像を感光材フィルムに形成し、これを熱現像するようになっている。
【０００３】
ところで、このような画像形成装置では、放射線画像情報の種類や画像の大きさ等に応じて、最適な感度特性あるいはサイズからなるフィルムを選択して放射線画像情報を記録する必要がある。感光材フィルムに用いられる感光材は、日々改良も進んでいる。このため、画像形成装置で使用できる感光材フィルムの種類も多種類に渡り、例えば、下記特許文献１には、多種類の感光材フィルムを同一の画像形成装置で使用する例が記載されている。
【０００４】
【特許文献１】特開２００４−１６３５２９号公報
【発明の開示】
【発明が解決しようとする課題】
【０００５】
画像を感光材フィルムに記録する場合、感光材フィルムに用いられている感光材が変わると、同一画像を同一露光量で記録しても、熱現像後の記録濃度等が変わってきてしまうことがある。このため、感光材フィルムの種類を変更した場合には、その種類を画像形成装置に設定し、各種補正係数を感光材フィルムの種類に応じて変更する必要が生じる。
画像形成装置には、フィルム包装体等に貼着されているバーコードを読み取って感光材フィルムの種類を自動判別できる機種もあるが、そのための読み取り手段が必要となり、構成を複雑化させて、装置コストが高くなる。これに対し、斯かる自動判別機能を持たない画像形成装置の場合には、サービスマンやユーザ自身が感光材フィルムの種類を画像形成装置に設定しなければならない。この作業は熟練を要し、また、面倒でもある。
本発明は上記状況に鑑みてなされたもので、感光材フィルムの種類が変更されたとき、簡素な構成で、その種類を判別して各種補正係数が自動的に変更可能となる画像形成装置を提供し、もって、容易なフィルム変更、及び装置コストの低減を図ることを目的とする。
【課題を解決するための手段】
【０００６】
上記目的を達成するための本発明に係る請求項１記載の画像形成装置は、感光材フィルムの種類に応じたデータを用いて記録対象画像の前記感光材フィルムヘの記録が行われる画像形成装置において、前記感光材フィルムの種類に応じたデータが格納された記憶手設と、前記感光材フィルムに記録される試験用濃度パターンの濃度を計測する濃度計測手段と、前記感光材フィルムに前記試験用濃度パターンを記録させると共に前記濃度計測手段によって計測された該試験用濃度パターンの濃度の計測値から前記感光材フィルムの種類を判別し該種類に応じたデータを前記記億手段から読み出して前記記録対象画像の前記感光材フィルムヘの記録を行わせる制御手段とを備えることを特徴とする。
【０００７】
この画像形成装置では、感光材フィルムに試験用濃度パターンが記録され、この試験用濃度パターンの濃度が濃度計測手段によって計測される。制御手段は、計測した濃度データと一致する記憶濃度の感光材フィルムを特定する。すなわち、試験用濃度パターンによって画像形成装置が感光材フィルムの種類を自動判別する。したがって、ユーザやサービスマンが一々感光材フィルムの種類を画像形成装置に設定する必要が無くなる。また、バーコード読み取り手段等の追加部材が不要となる。
【０００８】
請求項２記載の画像形成装置は、前記データが、前記濃度計測手段の校正係数データ、前記記録対象画像を鮮鋭度補正するときに使用する鮮鋭度補正係数データ、前記記録対象画像のユニフォーミティ補正を行うときに使用するユニフォーミティ補正係数データ、前記記録対象画像の濃度補正を行うときに使用する濃度補正データ、前記記録対象画像が潜像として記録された前記感光材フィルムを熱現像するときの加熱データのうちの少なくとも１つであることを特徴とする。
【０００９】
この画像形成装置では、制御手段が試験用濃度パターンから感光材フィルムの種類を自動判別した後、このフィルム種類に応じた校正係数データ、鮮鋭度補正係数データ、ユニフォーミティ補正係数データ、濃度補正データ、加熱データの少なくとも１つを記億手段から読み出し、そのデータに基づいて、記録対象画像が感光材フィルムヘ記録される。
【００１０】
請求項３記載の画像形成装置は、前記制御手段が、前記濃度計測手段によって前記試験用濃度パターンから計測した最高濃度、最低濃度、特定濃度の必要エネルギ、第１特定濃度と第２特定濃度とのエネルギ差のうちの少なくとも１つの計測値から前記感光材フィルムの種類を判別することを特徴とする。
【００１１】
この画像形成装置では、制御手段にて感光材フィルムの種類を判別する際に、試験用濃度パターンの最高濃度、最低濃度、特定濃度の必要エネルギ、或いは第１特定濃度と第２特定濃度とのエネルギ差のうちの少なくとも１つの計測値が判別条件として用いられる。ここで、最高濃度、最低濃度の計測値が用いられれば、濃淡の極限濃度で顕著な濃度特性を有する感光材フィルムの判別が容易となる。また、特定濃度の必要エネルギが用いられれば、中間濃度で顕著な濃度特性を有する感光材フィルムの判別が容易となる。さらに、第１特定濃度と第２特定濃度とのエネルギ差が用いられれば、所定濃度範囲で顕著な濃度特性を有する感光材フィルムの判別が容易となる。
【発明の効果】
【００１２】
本発明に係る画像形成装置によれば、感光材フィルムに応じたデータが格納された記憶手設と、試験用濃度パターンの濃度を計測する濃度計測手段と、濃度計測手段によって計測された計測値から感光材フィルムの種類を判別しこの種類に応じたデータを記億手段から読み出して記録対象画像の感光材フィルムヘの記録を行わせる制御手段とを備えたので、感光材フィルムに記録した試験用濃度パターンによって画像形成装置が感光材フィルムの種類を自動判別し、ユーザやサービスマンが一々感光材フィルムの種類を画像形成装置に設定する手間を省くことができ、フィルム種類を変更した場合にも容易に品質の高い画像を得ることが可能となる。また、バーコード読み取り手段等の追加部材が不要なので、簡素な構成でフィルム種類の判別を可能にできる。
【発明を実施するための最良の形態】
【００１３】
以下、本発明に係る画像形成装置の好適な実施の形態を図面を参照して説明する。
図１は本発明に係る画像形成装置の構成図、図２は図１に示した画像形成装置のソーター機構を省略した外観斜視図である。
画像形成装置１００は、シート状の感光材フィルム１３の搬送方向順に、感光材フィルム供給部Ａと、画像露光部Ｂと、熱現像部Ｃと、冷却部Ｄとを備えており、また、各部間の要所に設けられ感光材フィルム１３を搬送するための搬送手段と、各部を駆動し制御する制御手段としての電源／制御部Ｅとを備えている。
【００１４】
また、画像形成装置１００は、最下段に電源／制御部Ｅ、その上段に感光材フィルム供給部Ａ、さらにその上段に画像露光部Ｂと熱現像部Ｃと冷却部Ｄとを配置した構成となっており、画像露光部Ｂと熱現像部Ｃとを隣接させた配置としている。したがって、露光工程と熱現像工程を短い搬送距離内で行うことができ、感光材フィルム１３の搬送パス長を最短化し、１枚の出力時間を短縮することができるようになっている。また、１枚の感光材フィルム１３に対して露光工程と熱現像工程との両工程を同時に実施することが可能となる。
【００１５】
感光材フィルム１３としては、熱現像感光材料又は感光感熱記録材料等を使用することができる。熱現像感光材料は、光ビーム（例えば、レーザビームＬＢ）によって画像を記録（露光）し、その後、熱現像して発色させる記録材料である。また、感光感熱記録材料は、光ビームによって画像を記録し、その後、熱現像して発色させるか、或いは、レーザビームＬＢのヒートモード（熱）によって画像を記録すると同時に発色させ、その後、光照射で定着する記録材料である。
【００１６】
感光材フィルム供給部Ａは、感光材フィルム１３を一枚ずつ取り出して、感光材フィルム１３の搬送方向の下流に位置する画像露光部Ｂに供給する部分であり、例えば二つの装填部１５，１７と、各装填部にそれぞれ配置される枚葉機構１９と、供給ローラ対２１，２３と、不図示の搬送ローラ及び搬送ガイドとを有して構成される。また、二段構成となっている各装填部１５，１７の内部には、異なる、例えば、Ｂ４サイズ、及び半切サイズ等の感光材フィルム１３，１３が収容された画像形成装置用フィルムマガジン２４，２４がマガジン受けであるトレイ２５，２７内に収納され、各段に装填されたサイズや向きの感光材フィルム１３，１３を選択的に使用できるようにしている。
【００１７】
感光材フィルム１３は、シート状に加工され、通常、１５０枚等の所定単位の積層体（束）とされて、図２に示すアルミニウム箔等の遮光袋３０内に包装される。これにより、感光材フィルム１３は、所定枚数がパッケージされたフィルム包装体３４として取り扱われる。そして、感光材フィルム１３は、遮光袋３０の一部に切込みが入れられ、端部に形成されたひれ部３６がマガジン２４の外側に引き出されることによりマガジン２４内に配置される。このような状態で感光材フィルム１３は感光材フィルム供給部Ａの各段に装填される。
【００１８】
画像露光部Ｂは、感光材フィルム供給部Ａから搬送されてきた感光材フィルム１３に対して光ビームＬＢを主走査方向に走査露光し、また、主走査方向に略直交する副走査方向（すなわち、搬送方向）に搬送することで、所望の画像を感光材フィルム１３に記録して潜像を形成する。
【００１９】
熱現像部Ｃは、走査露光後の感光材フィルム１３を搬送しながら昇温処理して、熱現像を行う。そして、冷却部Ｄにおいて現像処理後の感光材フィルム１３を冷却して、排出トレイ４１に搬出する。
【００２０】
ここで、感光材フィルム供給部Ａと画像露光部Ｂとの間の搬送路には幅寄せ機構４３が設けられており、感光材フィルム供給部Ａから搬入されてきた感光材フィルム１３を、その幅方向端部を揃えた状態で画像露光部Ｂへ供給している。
【００２１】
次に、画像露光部Ｂについて具体的に説明する。
画像露光部Ｂは、光ビーム走査露光によって感光材フィルム１３を露光する部位であり、熱現像材料の搬送面からのばたつきを防止しつつ搬送するばたつき防止機構を有した副走査搬送部（副走査手段）４５と、走査露光部（レーザ照射手段）４７とを備えている。走査露光部４７は、別途用意された画像データに従ってレーザの出力を制御しつつ、このレーザを走査（主走査）させる。このとき感光材フィルム１３を副走査搬送部４５によって副走査方向に移動させる。
【００２２】
副走査搬送部４５は、照射するレーザ光の主走査ラインを挟んで、軸線がこの走査ラインに対して略平行に配置された２本の駆動ローラ４９，５１と、これら駆動ローラ４９，５１に対向して配置され、感光材フィルム１３を支持するガイド板５３を備えている。ガイド板５３は、各駆動ローラ４９，５１との間に挿入される感光材フィルム１３を、並設されたこれら駆動ローラ同士間の外側で該駆動ローラ周面の一部に沿って撓ませて、駆動ローラ同士間で感光材フィルム１３の撓みによる弾性反発力を当接して受け止めるようにしている。
【００２３】
この撓みにより感光材フィルム１３自身に弾性反発力が発生する。この弾性反発力により、感光材フィルム１３と駆動ローラ４９，５１との間に所定の摩擦力が生じ、駆動ローラ４９，５１から感光材フィルム１３へ確実に搬送駆動力が伝達されて、感光材フィルム１３が搬送されるようになる。したがって、感光材フィルム１３の搬送面からのばたつき、すなわち、上下方向のばたつきが確実に抑制される。この駆動ローラ同士間の感光材フィルム１３に向けてレーザ光を照射することで、露光位置ずれのない良好な記録が行えることになる。なお、駆動ローラ４９，５１は、図示しないモータ等の駆動手段の駆動力を、歯車やベルト等の伝達手段を介して受け、図１の時計回り方向へ回転するようになっている。
【００２４】
次に、熱現像部Ｃについて説明する。
熱現像部Ｃは、熱処理を適用されるタイプの被熱処理熱現像記録材料を加熱するものであり、構成としては、感光材フィルム１３を処理するのに必要な温度となる加熱体としての熱現像記録材料の移送方向に並ぶ複数のプレートヒータ５５，５７，５９を湾曲させ、かつ、これらプレートヒータ５５，５７，５９を一連の円弧状配置としている。
【００２５】
すなわち、これらプレートヒータ５５，５７，５９を含む熱現像部Ｃの構成としては、図示されるように、各プレートヒータに凹面を設け、感光材フィルム１３をプレートヒータの凹面に対して接触させつつ滑らせて、相対的に移動させる。このときの感光材フィルム１３の移送手段として、供給ローラ６１と、各プレートヒータから感光材フィルム１３への伝熱用でもある複数の押さえローラ６３と、を配設している。
【００２６】
押さえローラ６３は、歯車６５に噛合して歯車６５の回転に従動して回転駆動される。これら押さえローラ６３としては、金属ローラ、樹脂ローラ、ゴムローラ等が利用できる。この構成により、搬送される感光材フィルム１３がプレートヒータ５５，５７，５９に押し付けられつつ搬送されるので、感光材フィルム１３の座屈が防止される。なお、上記の湾曲プレートヒータは一例であり、この他、加熱手段としては平坦なプレートヒータや加熱ドラム等を用いる構成であってもよい。
【００２７】
熱現像部Ｃ内における感光材フィルム１３の搬送路の終端には、感光材フィルム１３を移送する排出ローラ６７が配設されている。そして、熱現像部Ｃから搬出された感光材フィルム１３は、冷却部Ｄによってシワが発生しないように、かつ湾曲ぐせが付かないように注意しながら冷却される。冷却部Ｄから排出された感光材フィルム１３は搬送路途中に設けられた冷却ローラ対６９によりガイドプレート７１内に案内され、さらに、排出ローラ対７３から排出トレイ４１に排出される。ガイドプレート７１の出口付近には濃度計測手段である濃度計２９が内蔵されており、冷却部Ｄから排出された感光材フィルム１３の記録濃度が例えば緑色光によって計測される。
【００２８】
このように冷却部Ｄ内には、複数の冷却ローラ対６９が感光材フィルム１３の搬送経路に所望の一定曲率Ｒを与えるように配置されている。これは、感光材フィルム１３がその材料のガラス転移点以下に冷却されるまで一定の曲率Ｒにより搬送されるということであり、このように意図的に感光材フィルム１３に曲率を付けることで、ガラス転移点以下に冷却される前に余計なカールが付かなくなり、ガラス転移点以下となれば、新たなカールが付くこともなく、カール量がばらつかない。
【００２９】
また、冷却部Ｄでは、冷却ローラ自体及び内部雰囲気が温度調節されている。このような温度調節は、熱処理装置の立ち上げ直後と十分にランニングを行った後との状態をなるべく同様なものにし、濃度変動を小さくすることができる。
【００３０】
排出トレイ４１の上方にはソーター機構７５が取り付けられる。画像形成装置１００では、ガイドプレート７１から搬送された感光材フィルム１３が、排出トレイ４１又はソーター機構７５へ選択的に排出制御可能となっている。ソーター機構７５は、ガイドプレート７１から搬送された感光材フィルム１３を、任意に振り分け可能としている。
【００３１】
排出トレイ４１近傍の装置最上部には、画像形成装置１００の動作状態や所望の作業指示を行うための表示部７７と、画像形成装置１００に対してデータを入力するためのデータ入力部７８とが配設される。
【００３２】
次に、画像形成装置１００の主な制御系統について説明する。
図３は画像形成装置の制御系統のブロック構成図である。
画像形成装置１００は、電源／制御部Ｅが、所定の位置に配置された始動スイッチＳＷのオン操作により電源投入される。
画像形成装置１００は、レーザビーム照射装置３１と、レーザビーム照射装置３１から照射されたレーザビームＬＢを感光材フィルム１３上に走査するポリゴンミラー３３と、図示しないＭＲＩ装置、Ｘ線装置等の画像撮影装置にＬＡＮ（ローカルエリアネットワーク）等を介して接続されこれら画像撮影装置から送られてくる画像データを取り込み保存する画像データ用メモリ３５と、画像データ用メモリ３５に格納された画像データを取り出して鮮鋭度補正処理（周波数強調処理）等の画像処理を施し画像処理済みの画像データをレーザビーム照射装置３１に出力して該画像データを感光材フィルム１３に記録させる画像処理部３７とを備える。
【００３３】
画像形成装置１００において、制御部Ｅは、画像処理部３７を制御すると共に、レーザビーム照射装置３１の出力強度補正を行い、さらに、熱現像部Ｃにおける加熱制御を行う。制御部Ｅは、各種データが格納された記憶手段であるデータメモリ３９を持つ。
【００３４】
データメモリ３９内には、濃度計２９の校正係数データと、画像処理部３７で行う画像の鮮鋭度補正で用いる鮮鋭度補正係数データと、ユニフォーミティ補正を行うときに使用するユニフォーミティ補正係数データ、濃度補正に関する各種パラメータ値（例えば、濃度補正データ）、熱現像に関する各種パラメータ値（例えば加熱データ）等が格納されている。
【００３５】
これらの校正係数データや各補正係数データ、パラメータ値は、感光材フィルム１３の種類が異なる場合にはそれぞれ異なるデータとなるため、データメモリ３９には、この画像形成装置１００で使用される可能性のある感光材フィルム１３の種類（図３に示す例では、Ａ，Ｂ，Ｃの３種類を示す）対応にこれらのデータが予め格納されている。
【００３６】
次に、このように構成される画像形成装置１００の動作を説明する。
図４は感光材フィルム１３の種類が変えられたときに制御部が実行するフィルム自動判別処理手順を示すフローチャート、図５は感材別の濃度値と露光強度との相関を表すグラフである。
先ず、画像形成装置１００の所望の装填部１５，１７から画像形成装置用フィルムマガジン２４を取り出す。次いで、取り出した画像形成装置用フィルムマガジン２４に感光材フィルム１３を充填する。
【００３７】
画像形成装置用フィルムマガジン２４は、蓋部材を開蓋状態にし、マガジン本体にフィルム包装体３４を載置する。このとき、遮光袋３０のひれ部３６がマガジン本体の図示しない扱きローラ上に載せられる。次に、蓋部材を閉蓋状態にする。蓋部材が閉蓋された後に、遮光袋３０のひれ部３６を扱きローラ対から引き出す。これにより、遮光袋３０が取り除かれた感光材フィルム１３が画像形成装置用フィルムマガジン２４内に残されて感光材フィルム１３の装填が完了する。
【００３８】
画像形成処理が行われると、画像形成装置用フィルムマガジン２４に装填された感光材フィルム１３は、図示しない蓋部材８５のフィルム引き出し孔が自動にて開放されることにより、そのフィルム引き出し孔から取り出されて、供給ローラ対２１によって画像露光部Ｂ側へ搬送され、露光、現像、冷却の処理を経て、排出トレイ４１あるいはソーター機構７５へと排出される。
【００３９】
ここで、フィルムの種類としてＡフィルム，Ｂフィルム，Ｃフィルムの３種類があるとし、２つのトレイ２５，２７共にＡフィルムが収納されているとする。感光材フィルム１３は外光に晒されると感光してしまうため、同一トレイ内に種類の異なる感光材フィルム１３が混在する様な使い方はせず、トレイ内が空になったとき、新しい遮光袋３０に入れられた感光材フィルム１３を入れることになる。
【００４０】
ユーザが、新しい遮光袋３０を図１に示す最上段のトレイ２５に入れ替えた場合（ユーザが新しい感光材フィルムの種類を知っている必要はないが、この例ではＢフィルムが入っているとする。）には、所定キー入力操作を行うことで、図４の処理が行われる。
【００４１】
先ず、制御部Ｅは、入れ替えが行われたトレイが最上段のトレイ２５であることを検知し、トレイ２５から感光材フィルム１３を１枚敢り出して画像露光部Ｂに鍛送させる。そして、予め試験用として用意された試験用濃度パターンデータを内蔵メモリから読み出してレーザビーム照射装置（ＬＤ）３１に出力し、この試験用濃度パターンを感光材フィルム１３に記録する（ｓｔ１）。試験用濃度パターンの概念的な一例を図５に示した。
【００４２】
この感光材フィルム１３は、画像露光部Ｂから冷却部Ｄに排出された後、内蔵の濃度計２９を通り、濃度計２９によって試験用濃度パターンの濃度が計測される（ｓｔ２）。そして、制御部Ｅは濃度計２９によって計測された濃度データを取り込み、感光材フィルム１３の種類が何であるかを判別する（ｓｔ３）。
【００４３】
判別に用いる情報としては、例えば、最高濃度、最低濃度、特定濃度の必要エネルギ（フィルム感度）、第１特定濃度と第２特定濃度とのエネルギ差（フィルム感度の傾き）等があり、制御部Ｅは、そのうちの少なくとも１つの情報（計測値）又は複数の情報の組み合わせから、感光材フィルム１３の種類を判別する。本実施の形態では、少なくとも最高濃度、最低濃度、特定濃度の必要エネルギが計測される。図６に示すように、この計測濃度データと、一致した記憶濃度データを有する感材が特定される。
【００４４】
ここで、例えば最高濃度、最低濃度の計測値が用いられれば、濃淡の極限濃度で顕著な濃度特性を有する感光材フィルム１３の判別が容易となる。また、特定濃度の必要エネルギが用いられれば、中間濃度で顕著な濃度特性を有する感光材フィルム１３の判別が容易となる。さらに、第１特定濃度と第２特定濃度とのエネルギ差が用いられれば、所定濃度範囲で顕著な濃度特性を有する感光材フィルム１３の判別が容易となる。
【００４５】
制御部Ｅは、上記情報を用いることで感光材フィルム１３の種類がＢフィルムであると判別できるため、以後の、最上段のトレイ２５の感光材フィルム１３を用いた画像記録において、Ｂフィルム用の校正係数データを用いて濃度計２９の計測データを校正し、Ｂフィルム用の鮮鋭度補正係数データで画像処理部３７に鮮鋭度補正を行わせ、Ｂフィルム用のユニフォーミティ補正係数データに基づいてレーザビーム照射装置３１の露光量補正を行い、Ｂフィルム用のパラメータ値で濃度補正を行ったり、Ｂフィルム用の加熱パラメータ値に基づいて熱現像部Ｃにおける加熱制御を行うように設定する（ｓｔ４）。
【００４６】
なお、トレイ２７の感光材フィルム１３を用いた画像記録を行う場合には、トレイ２７にはＡフィルムが入っているため、Ａフィルム用の校正係数データ等を用いる。これにより、フィルム種類が変更された場合でも、適切な補正処理が実行され、濃度の安定した画像記録が行われる。
【００４７】
したがって、本実施の形態による画像形成装置１００によれば、感光材フィルム１３に応じたデータが格納されたデータメモリ３９と、試験用濃度パターンの濃度を計測する濃度計２９と、この濃度計２９によって計測された計測値から感光材フィルム１３の種類を判別しこの種類に応じたデータをデータメモリ３９から読み出して記録対象画像の感光材フィルム１３ヘの記録を行わせる制御部Ｅとを備えたので、感光材フィルム１３に記録した試験用濃度パターンによって画像形成装置１００が感光材フィルム１３の種類を自動判別することができるようになる。この結果、ユーザやサービスマンがいちいち感光材フィルム１３の種類を画像形成装置１００に設定する手間を省くことができ、フィルム種類を変更した場合にも容易に品質の高い画像を得ることが可能となる。また、バーコード読み取り手段等の追加部材が不要なので、簡素な構成でフィルム種類の判別を可能にすることができる。
【図面の簡単な説明】
【００４８】
【図１】本発明に係る画像形成装置の構成図である。
【図２】図１に示した画像形成装置のソーター機構を省略した外観斜視図である。
【図３】画像形成装置の制御系統のブロック構成図である。
【図４】感光材フィルムの種類が変えられたときに制御部が実行するフィルム自動判別処理手順を示すフローチャートである。
【図５】試験用濃度パターンの概念的な一例を示す説明図である。
【図６】感材別の濃度値と露光強度との相関を表すグラフである。
【符号の説明】
【００４９】
１３  感光材フィルム
２９  濃度計（濃度計測手段）
３９  データメモリ（記憶手設）
１００  画像形成装置
Ｅ  制御部（制御手段）
【図１】
2006309065.tif 000003
【図２】
2006309065.tif 000004
【図３】
2006309065.tif 000005
【図４】
2006309065.tif 000006
【図５】
2006309065.tif 000007
【図６】
2006309065.tif 000008